(57)【特許請求の範囲】
【請求項１】
硬組織を治療するためのシステムであって、
レーザビームを生成するためのレーザビーム発生器であって、前記レーザビームは、９〜１０μｍの範囲の波長と、０．５ｋＨｚを上回る繰り返し数と、焦点領域と、非焦点領域とを有する、レーザビーム発生器と、
前記硬組織の露出面に前記レーザビームを方向付けるための光学構成要素と、
前記レーザビームの前記非焦点領域においてパルスエネルギーを用いた切除によって前記硬組織の前記露出面の少なくとも一部分が除去されるように、前記パルスエネルギーを生成するために、レーザビーム波長と、パルス長と、パルス繰り返し数と、ビーム径とのうちの少なくとも１つを制御するためのレーザビームコントローラと、
を備える、システム。
【請求項２】
前記レーザビームパラメータは、最大３０μ秒の範囲内のパルス長である、請求項１に記載のシステム。
【請求項３】
前記レーザビームは、最大５０Ｊ／ｃｍ２の範囲内のフルエンスを含む、請求項１に記載のシステム。
【請求項４】
前記レーザビームパラメータは、最大４ｋＨｚの繰り返し数である、請求項１に記載のシステム。
【請求項５】
前記レーザビームは、最大２０００μｍの公称直径を有する、請求項１に記載のシステム。
【請求項６】
前記レーザビーム発生器は、ＣＯ２レーザビーム発生器である、請求項１に記載のシステム。
【請求項７】
前記ＣＯ２レーザビーム発生器は、２６０トルから６００トル（３４，７００〜８０，０００Ｐａ）の範囲内のガスで動作する、請求項６に記載のシステム。
【請求項８】
前記ガスは、１２Ｃ（１８Ｏ）２ガスおよび１２Ｃ（１６Ｏ）２ガスから成る群より選択される、請求項７に記載のシステム。
【請求項９】
前記光学構成要素は、中空導波管を備える、請求項１に記載のシステム。
【請求項１０】
前記硬組織の前記露出面に対して前記中空導波管を手動で位置付けるためのハンドピースをさらに備える、請求項９に記載のシステム。
【請求項１１】
前記硬組織の前記露出面に対して前記中空導波管を位置付けるためのロボットコントローラをさらに備える、請求項９に記載のシステム。
【請求項１２】
前記ロボットコントローラは、前記硬組織の前記露出面に対して前記レーザビームを移動させて、前記硬組織の前記露出面の一部分を増分的に除去するように構成される、請求項１１に記載のシステム。
【請求項１３】
前記硬組織の残りの部分は、いかなる実質的炭化も呈さない、請求項１に記載のシステム。
【請求項１４】
前記硬組織は、最大０．５ｇ／秒の速度で除去される、請求項１に記載のシステム。
【請求項１５】
前記硬組織は、最大１．７ｃｍ３／秒の体積速度で除去される、請求項１に記載のシステム。
【請求項１６】
前記パルスエネルギーは、最大３０ｍＪの範囲を含む、請求項１に記載のシステム。
【請求項１７】
前記硬組織は、爆発的な蒸発によって切除される、請求項１に記載のシステム。
【請求項１８】
前記硬組織の前記露出面に流体流動を方向付けるための流体ディスペンサをさらに備える、請求項１に記載のシステム。
【請求項１９】
前記流体ディスペンサによって分注される前記流体流動は、流体、ガス、およびそれらの組み合わせから成る群より選択される、請求項１８に記載のシステム。
【請求項２０】
前記流体流動は、
前記硬組織の温度を制御することに寄与すること、および
前記硬組織の前記露出面上への除去された物質の再堆積を低減させることに寄与すること
のうちの少なくとも１つを行うように適合される、
請求項１８に記載のシステム。
【請求項２１】
前記流体ディスペンサは、６５度から９０度の範囲内の入射角で、前記流体流動を前記硬組織の前記露出面に方向付ける、請求項１８に記載のシステム。
【請求項２２】
前記硬組織は、歯のエナメル質、象牙質、および骨から成る群より選択される、請求項１に記載のシステム。
【請求項２３】
単一のパルス中に前記レーザビームが方向付けられる、前記硬組織の前記露出面は、最大０．０３ｃｍ２の断面積を有する、請求項１に記載のシステム。
【請求項２４】
前記レーザビームコントローラは、最大３分にわたるパルスのシーケンスとして前記レーザビームを構成する、請求項１に記載のシステム。
【請求項２５】
前記光学構成要素は、最大９０度の入射角で、前記レーザビームを前記硬組織の前記露出面に方向付けるように構成される、請求項１に記載のシステム。
【請求項２６】
前記光学構成要素は、レンズを備え、前記レンズは、前記レンズに対する前記硬組織の前記露出面の距離とは異なる焦点距離を有する、請求項１に記載のシステム。
【請求項２７】
前記光学構成要素は、修正されたレーザビームのプロファイルが非ガウス性であるように、前記レーザビームを修正する、請求項１に記載のシステム。
【発明の詳細な説明】
【技術分野】
【０００１】
本発明は、虫歯を除去する、硬組織を切除、掘削、または成形する、軟組織を除去および切除する、齲蝕抑制のために硬組織を修正する、硬組織への接着を補助するために、硬組織の表面の状態を修正するためのシステムおよび方法に関する。本発明は、口腔組織、歯肉、および歯、例えば、ヒトまたは動物の口腔組織、歯肉、および歯、ならびに他の生物学的物質に適用される。
【背景技術】
【０００２】
歯は、３つの層を有する。最外層は、最も硬く、歯の他の部分のための保護層を形成する、エナメル質である。歯の中央および大部分は、象牙質でできており、最内層は、歯髄である。エナメル質および象牙質は、組成が類似し、ほぼ８５％が無機物の炭酸ヒドロキシアパタイトである一方で、歯髄は、圧力および温度に敏感である血管および神経を含有する。エナメル質および象牙質を掘削する、または輪郭形成する、または調節する（ｃｏｎｄｉｔｉｏｎｉｎｇ）本願では、歯髄の温度感受性は、懸念対象である。摂氏５．５度の温度の上昇は、歯髄の永久的損傷につながり得る。
【０００３】
過去１０〜１５年にわたって、歯髄を加熱することなく、歯のエナメル質および象牙質が除去される、掘削される、輪郭形成される、または調節される（全て除去プロセスである）ことを可能にする、レーザパラメータを定義するために、研究が行われてきた。理想的には、レーザパルスは、エナメル質および象牙質を蒸発させ、歯髄を加熱する最小限の残留エネルギーが象牙質の中に残っている状態で、質量をガスに変換するべきである。
【０００４】
レーザの導入以来、歯科でのレーザの使用が考慮されてきた。掘削および切断するために使用される歯科用レーザが、最初の用途であった。高エネルギー密度パルスが最初に使用されたが、これらのパルスは、歯髄または軟組織を潜在的に損傷し得るため、より低いエネルギーのパルス構成が模索された。より低いピーク電力のエネルギーパルスでは、より長いパルス時間が使用され、これは歯のエナメル質に悪影響を及ぼしていた。
【０００５】
光学的結合効率を理解するために、紫外線から遠赤外線まで、種々のレーザ波長の相互作用が模索された。光学的結合は重要であり、最大の結合は、２．７〜３．０μｍおよび９．３〜９．６μｍの波長範囲内であったことが見出された。反射率を考慮すると、９．３〜９．６μｍの範囲が、任意の他の波長範囲より最大で３倍も良好に結合することが分かった。
【０００６】
最も効果的な結合波長を同定したことによって、硬組織を切除する時間および閾値を決定しなければならなかった。研究では、約５ｍＪ（ミリジュール）の閾値切除エネルギーで、硬組織の熱緩和時間が１〜２μ秒であることが示されている。
【０００７】
マイクロ秒パルス幅および５〜１５ｍＪのパルスエネルギーで、９．３〜９．６μメートルの波長範囲内のレーザパルスに対する必要性の認識から、ＤＣ励起ＴＥＡ（逆励起大気）レーザが、採用された。ＴＥＡレーザが、非常に短いパルス長、すなわち、数百ナノ秒を有するため、ＴＥＡレーザは、長いパルス動作および修正されたパルス形状用に修正された。加えて、ＲＦ（無線周波数）ＣＷ（連続波）レーザが研究されたが、その最短パルス長がわずか５０μ秒であったため、パルスは、より短いパルス幅よりも有意に硬組織を加熱することになった。
【０００８】
現在まで、最大ＲＦ対光学効率を追求するＲＦ励起ＣＯ２ＣＷレーザは、典型的には、７０〜１００トル（または約９，３３２〜１３，３３２パスカル（Ｐａ））で動作し、生成される最短パルス長は、典型的には、５０μ秒である。従来技術で使用された通常のＲＦ励起ＣＯ２ＣＷレーザの典型的なガス圧力は、８０トル（または約１０，６６５Ｐａ）である。大気圧で動作するＣＯ２ＴＥＡレーザは、数百ナノ秒のパルス長で９．３〜９．６μメートルのパルスを生成する。ＴＥＡレーザは、概して、密閉動作では動作せず、長い動作寿命も高いパルス繰り返し数も有さず、かつパッケージ化が高価である。最適なＣＯ２レーザパルシングパラメータを生じるように、「長パルス」ＴＥＡレーザを製造することができる一方で、ＴＥＡレーザは、ＲＦ励起レーザよりも大きく、かつ高価であり、したがって、サイズおよび費用が重要である、歯科用レーザ用途に理想的に適合するものではない。したがって、現在までのアプローチのうちのいずれも、歯髄を加熱することなくエナメル質および象牙質と効果的に作用するための商業的に容認可能な形式で、完全な一式の最適パラメータを生成していない。
【発明の概要】
【課題を解決するための手段】
【０００９】
一側面によれば、硬組織を治療するための方法が提供され、本方法は、約０．５ｋＨｚを上回る繰り返し数でレーザビームを生成するステップと、硬組織（例えば、歯のエナメル質、象牙質等）の露出面にレーザビームを方向付けるステップと、隣接組織（例えば、歯髄）の温度を実質的に上昇させることなく、硬組織の露出面の少なくとも一部分を除去するステップとを含む。レーザビームは、約９μｍから約１０μｍの範囲内の波長、最大約３０μ秒の範囲内のパルス長、最大約５０Ｊ／ｃｍ２のフルエンス、最大約４ｋＨｚの繰り返し数、および最大約２０００μｍの公称直径のうちの１つ以上を有してもよい。いくつかの実施形態では、硬組織を治療するための方法のレーザビームは、各パルスと関連付けられるパルスエネルギーが最大約３０ｍＪの範囲内であるようなレーザパルスを含む。
【００１０】
いくつかの実施形態では、硬組織を治療するための方法のレーザビームは、ＣＯ２レーザによって生成される。ＣＯ２レーザは、約２６０トルから約６００トルの範囲内のガスで動作してもよく、ガスは、１２Ｃ（１８Ｏ）２ガスまたは１２Ｃ（１６Ｏ）２ガスであってもよい。
【００１１】
いくつかの実施形態では、レーザビームは、中空導波管を利用して、硬組織の露出面に方向付けられる。硬組織の露出面に対する中空導波管の位置付けは、手動またはロボットで制御されてもよい。レーザビームは、硬組織の露出面の一部分を増分的に除去するように、硬組織の露出面に対して移動させられてもよい。いくつかの実施形態では、硬組織の残りの部分は、いかなる実質的炭化も呈さない。硬組織は、最大約０．５ｇ／秒の速度で、または最大約１．７ｃｍ３／秒の体積速度（ｖｏｌｕｍｅｔｒｉｃ  ｒａｔｅ）で除去される。硬組織は、爆発的な蒸発によって除去されてもよい。
【００１２】
いくつかの実施形態では、硬組織を治療するための方法は、硬組織の露出面に流体流動（ｆｌｕｉｄｉｃ  ｆｌｏｗ）を方向付けるステップを含む。流体流動は、流体、ガス、およびそれらの組み合わせから成る群より選択されてもよい。流体流動は、硬組織の温度を制御すること、または硬組織の露出面上への除去された物質の再堆積を低減させることのいずれか、あるいはそれらの両方に寄与するように適合されてもよい。流体流動は、約０度から約９０度の範囲内の入射角で硬組織の露出面に方向付けられてもよい。本方法によって治療される硬組織は、エナメル質、象牙質、骨、またはそれらの組み合わせであってもよい。
【００１３】
いくつかの実施形態では、単一のパルス中にレーザビームが方向付けられる、硬組織の露出面は、最大約０．０３ｃｍ２の断面積を有する。いくつかの実施形態では、レーザビームを方向付けるステップは、最大約３分にわたってパルスのシーケンスを送達するステップを含む。レーザビームは、最大約９０度の入射角で硬組織の露出面に方向付けられてもよい。レーザビームを方向付けるステップは、焦点距離を有するレンズを使用して、レーザビームの焦点を合わせるステップと、焦点距離よりもわずかに小さい距離で、レンズに対して硬組織の露出面を位置付けるステップとを含んでもよい。いくつかの実施形態では、レーザビームを方向付けるステップは、修正されたレーザビームのプロファイルが非ガウス性であるように、光学系を使用してレーザビームを修正するステップを含む。
【００１４】
別の側面によれば、硬組織を治療するためのシステムが提供され、本システムは、約０．５ｋＨｚを上回る繰り返し数でレーザビームを生成するためのレーザビーム発生器を含む。本システムはまた、硬組織の露出面にレーザビームを方向付けるための光学構成要素と、隣接組織の温度を実質的に上昇させることなく、硬組織の露出面の少なくとも一部分が除去されるように、少なくとも１つのレーザビームパラメータを制御するためのレーザビームコントローラとを含む。
【００１５】
レーザビームパラメータは、約９μｍから約１０μｍの範囲内の波長、最大約３０μ秒の範囲内のパルス長、最大約５０Ｊ／ｃｍ２のフルエンス、最大約４ｋＨｚの繰り返し数、最大約２０００μｍの公称直径、および最大約３０ｍＪの範囲内のパルスエネルギーのうちの１つ以上であってもよい。
【００１６】
硬組織を治療するためのシステムのレーザビーム発生器は、ＣＯ２レーザビーム発生器であってもよい。ＣＯ２レーザビーム発生器は、約２６０トルから約６００トルの範囲内のガスで動作してもよく、ガスは、１２Ｃ（１８Ｏ）２ガスまたは１２Ｃ（１６Ｏ）２ガスであってもよい。
【００１７】
いくつかの実施形態では、硬組織を治療するためのシステムの光学構成要素は、中空導波管を含む。硬組織を治療するためのシステムは、硬組織の露出面に対して中空導波管を手動で位置付けるためのハンドピースを含んでもよい。いくつかの実施形態では、本システムは、硬組織の露出面に対して中空導波管を位置付けるためのロボットコントローラを含む。ロボットコントローラは、硬組織の露出面に対してレーザビームを移動させて、硬組織の露出面の一部分を増分的に除去するように構成されてもよい。
【００１８】
いくつかの実施形態では、硬組織は、最大約０．５ｇ／秒の速度で、または最大約０．１７ｃｍ３／秒の体積速度で除去される。硬組織は、爆発的な蒸発によって除去されてもよい。硬組織の残りの部分は、いかなる実質的炭化も呈し得ない。
【００１９】
いくつかの実施形態では、硬組織を治療するためのシステムは、硬組織の露出面に流体流動を方向付けるための流体ディスペンサを含む。流体ディスペンサによって分注される流体流動は、流体、ガス、およびそれらの組み合わせであってもよい。流体流動は、硬組織の温度を制御すること、または硬組織の露出面上への除去された物質の再堆積を低減させることのいずれか、あるいはそれらの両方に寄与するように適合されてもよい。流体ディスペンサは、約０度から約９０度の範囲内の入射角で、流体流動を硬組織の露出面に方向付けてもよい。硬組織は、歯のエナメル質、象牙質、骨、またはそれらの組み合わせであってもよい。
【００２０】
いくつかの実施形態では、硬組織を治療するためのシステムのレーザビームコントローラは、最大約３分にわたるパルスのシーケンスとしてレーザビームを構成する。単一のパルス中にレーザビームが方向付けられ得る、硬組織の露出面は、最大約０．０３ｃｍ２の断面積を有してもよい。
【００２１】
いくつかの実施形態では、光学構成要素は、最大約９０度の入射角で、レーザビームを硬組織の露出面に方向付けるように構成される。光学構成要素は、レンズに対する硬組織の露出面が、焦点距離よりもわずかに小さい距離にあるように、レーザビームの焦点を合わせるための焦点距離を有する、レンズを含んでもよい。いくつかの実施形態では、修正されたレーザビームのプロファイルが非ガウス性であるように、光学構成要素は、レーザビームを修正する。
特定の実施形態では、例えば以下が提供される：
（項目１）
硬組織を治療するための方法であって、
約０．５ｋＨｚを上回る繰り返し数でレーザビームを生成するステップと、
前記硬組織の露出面に前記レーザビームを方向付けるステップと、
隣接組織の温度を実質的に上昇させることなく、前記硬組織の前記露出面の少なくとも一部分を除去するステップと、
を含む、方法。
（項目２）
前記レーザビームは、約９μｍから約１０μｍの範囲内の波長を含む、項目１に記載の方法。
（項目３）
前記レーザビームは、最大約３０μ秒の範囲内のパルス長を含む、項目１に記載の方法。
（項目４）
前記レーザビームは、最大約５０Ｊ／ｃｍ２のフルエンスを含む、項目１に記載の方法。
（項目５）
前記レーザビームは、最大約４ｋＨｚの繰り返し数を含む、項目１に記載の方法。
（項目６）
前記レーザビームは、最大約２０００μｍの公称直径を有する、項目１に記載の方法。
（項目７）
前記レーザビームは、ＣＯ２レーザによって生成される、項目１に記載の方法。
（項目８）
前記ＣＯ２レーザは、約２６０トルから約６００トルの範囲内のガスで動作する、項目７に記載の方法。
（項目９）
前記ガスは、１２Ｃ（１８Ｏ）２ガスおよび１２Ｃ（１６Ｏ）２ガスから成る群より選択される、項目８に記載の方法。
（項目１０）
前記レーザビームは、中空導波管を利用して、前記硬組織の前記露出面に方向付けられる、項目１に記載の方法。
（項目１１）
前記硬組織の前記露出面に対する前記中空導波管の位置付けは、手動で制御される、項目１０に記載の方法。
（項目１２）
前記硬組織の前記露出面に対する前記中空導波管の位置付けは、ロボット制御される、項目１０に記載の方法。
（項目１３）
前記レーザビームは、前記硬組織の前記露出面の一部分を増分的に除去するように、前記硬組織の前記露出面に対して移動させられる、項目１に記載の方法。
（項目１４）
前記硬組織の残りの部分は、いかなる実質的炭化も呈さない、項目１に記載の方法。
（項目１５）
前記硬組織は、最大約０．５ｇ／秒の速度で除去される、項目１に記載の方法。
（項目１６）
前記硬組織は、最大約１．７ｃｍ３／秒の体積速度で除去される、項目１に記載の方法。
（項目１７）
前記レーザビームは、最大約３０ｍＪの範囲内のパルスエネルギーを含む、項目１に記載の方法。
（項目１８）
前記硬組織は、爆発的な蒸発によって除去される、項目１に記載の方法。
（項目１９）
前記硬組織の前記露出面に流体流動を方向付けるステップをさらに含む、項目１に記載の方法。
（項目２０）
前記流体流動は、流体、ガス、およびそれらの組み合わせから成る群より選択される、項目１９に記載の方法。
（項目２１）
前記流体流動は、
前記硬組織の温度を制御することに寄与する、および
前記硬組織の前記露出面上への除去された物質の再堆積を低減させることに寄与する、のうちの少なくとも１つを行うように適合される、
項目１９に記載の方法。
（項目２２）
前記流体流動は、約０度から約９０度の範囲内の入射角で前記硬組織の前記露出面に方向付けられる、項目１９に記載の方法。
（項目２３）
前記硬組織は、歯のエナメル質、象牙質、および骨から成る群より選択される、項目１に記載の方法。
（項目２４）
単一のパルス中に前記レーザビームが方向付けられる、前記硬組織の前記露出面は、最大約０．０３ｃｍ２の断面積を有する、項目１に記載の方法。
（項目２５）
前記レーザビームを方向付けるステップは、最大約３分にわたってパルスのシーケンスを送達するステップを含む、項目１に記載の方法。
（項目２６）
前記レーザビームは、最大約９０度の入射角で前記硬組織の前記露出面に方向付けられる、項目１に記載の方法。
（項目２７）
前記レーザビームを方向付けるステップは、
焦点距離を有するレンズを使用して、前記レーザビームの焦点を合わせるステップと、
前記焦点距離よりもわずかに小さい距離で、前記レンズに対して前記硬組織の前記露出面を位置付けるステップと、
を含む、項目１に記載の方法。
（項目２８）
前記レーザビームを方向付けるステップは、
修正されたレーザビームのプロファイルが非ガウス性であるように、光学系を使用して前記レーザビームを修正するステップを含む、
項目１に記載の方法。
（項目２９）
硬組織を治療するためのシステムであって、
約０．５ｋＨｚを上回る繰り返し数でレーザビームを生成するためのレーザビーム発生器と、
前記硬組織の露出面に前記レーザビームを方向付けるための光学構成要素と、
隣接組織の温度を実質的に上昇させることなく、前記硬組織の前記露出面の少なくとも一部分が除去されるように、少なくとも１つのレーザビームパラメータを制御するためのレーザビームコントローラと、
を備える、システム。
（項目３０）
前記レーザビームパラメータは、約９μｍから約１０μｍの範囲内の波長である、項目２９に記載のシステム。
（項目３１）
前記レーザビームパラメータは、最大約３０μ秒の範囲内のパルス長である、項目２９に記載のシステム。
（項目３２）
前記レーザビームパラメータは、最大約５０Ｊ／ｃｍ２のフルエンスである、項目２９に記載のシステム。
（項目３３）
前記レーザビームパラメータは、最大約４ｋＨｚの繰り返し数である、項目２９に記載のシステム。
（項目３４）
前記レーザビームは、最大約２０００μｍの公称直径を有する、項目２９に記載のシステム。
（項目３５）
前記レーザビーム発生器は、ＣＯ２レーザビーム発生器である、項目２９に記載のシステム。
（項目３６）
前記ＣＯ２レーザビーム発生器は、約２６０トルから約６００トルの範囲内のガスで動作する、項目３５に記載のシステム。
（項目３７）
前記ガスは、１２Ｃ（１８Ｏ）２ガスおよび１２Ｃ（１６Ｏ）２ガスから成る群より選択される、項目３６に記載のシステム。
（項目３８）
前記光学構成要素は、中空導波管を備える、項目２９に記載のシステム。
（項目３９）
前記硬組織の前記露出面に対して前記中空導波管を手動で位置付けるためのハンドピースをさらに備える、項目３８に記載のシステム。
（項目４０）
前記硬組織の前記露出面に対して前記中空導波管を位置付けるためのロボットコントローラをさらに備える、項目３８に記載のシステム。
（項目４１）
前記ロボットコントローラは、前記硬組織の前記露出面に対して前記レーザビームを移動させて、前記硬組織の前記露出面の一部分を増分的に除去するように構成される、項目４０に記載のシステム。
（項目４２）
前記硬組織の残りの部分は、いかなる実質的炭化も呈さない、項目２９に記載のシステム。
（項目４３）
前記硬組織は、最大約０．５ｇ／秒の速度で除去される、項目２９に記載のシステム。
（項目４４）
前記硬組織は、最大約１．７ｃｍ３／秒の体積速度で除去される、項目２９に記載のシステム。
（項目４５）
前記レーザビームは、最大約３０ｍＪの範囲内のパルスエネルギーを含む、項目２９に記載のシステム。
（項目４６）
前記硬組織は、爆発的な蒸発によって除去される、項目２９に記載のシステム。
（項目４７）
前記硬組織の前記露出面に流体流動を方向付けるための流体ディスペンサをさらに備える、項目２９に記載のシステム。
（項目４８）
前記流体ディスペンサによって分注される前記流体流動は、流体、ガス、およびそれらの組み合わせから成る群より選択される、項目４７に記載のシステム。
（項目４９）
前記流体流動は、
前記硬組織の温度を制御することに寄与する、および
前記硬組織の前記露出面上への除去された物質の再堆積を低減させることに寄与する、のうちの少なくとも１つを行うように適合される、
項目４７に記載のシステム。
（項目５０）
前記流体ディスペンサは、約０度から約９０度の範囲内の入射角で、前記流体流動を前記硬組織の前記露出面に方向付ける、項目４７に記載のシステム。
（項目５１）
前記硬組織は、歯のエナメル質、象牙質、および骨から成る群より選択される、項目２９に記載のシステム。
（項目５２）
単一のパルス中に前記レーザビームが方向付けられる、前記硬組織の前記露出面は、最大約０．０３ｃｍ２の断面積を有する、項目２９に記載のシステム。
（項目５３）
前記レーザビームコントローラは、最大約３分にわたるパルスのシーケンスとして前記レーザビームを構成する、項目２９に記載のシステム。
（項目５４）
前記光学構成要素は、最大約９０度の入射角で、前記レーザビームを前記硬組織の前記露出面に方向付けるように構成される、項目２９に記載のシステム。
（項目５５）
前記光学構成要素は、前記レンズに対する前記硬組織の前記露出面が、焦点距離よりもわずかに小さい距離にあるように、前記レーザビームの焦点を合わせるための焦点距離を有する、レンズを備える、項目２９に記載のシステム。
（項目５６）
前記光学構成要素は、修正されたレーザビームのプロファイルが非ガウス性であるように、前記レーザビームを修正する、項目２９に記載のシステム。
【００２２】
本発明は、添付図面および付随の発明を実施するための形態を考慮して、より明白となるであろう。その中で描写される実施形態は、制限としてではなく、一例として提供され、類似参照数字は、類似または同一要素を指す。図面は、必ずしも一定の縮尺ではなく、代わりに、本発明の側面を例証することに重点が置かれる。
【図面の簡単な説明】
【００２３】
【図１】図１は、本発明の側面による、歯科用レーザシステムの実施形態のブロック図である。
【図２】図２は、本発明の側面による、ＣＯ２歯科用レーザシステムからレーザ光学エネルギーを出力することの実施形態のフローチャートである。
【図３】図３は、本発明による、典型的なレーザパラメータおよび歯科用システム性能パラメータの表である。
【図４】図４は、種々の波長およびパルス幅での歯のエナメル質による放射線の吸収を描写する。
【図５】図５は、本発明による、実験レーザシステムの動作中に測定されたレーザパラメータおよび性能パラメータの表である。
【図６】図６は、本発明による、異なるパラメータを有するレーザビームを使用した治療に対応する、重量による歯のエナメル質の除去速度を描写する。
【図７】図７は、本発明による、一式のレーザパラメータに対応する、異なる臼歯上の歯のエナメル質の除去速度の表を表す。
【図８】図８は、本発明による、実験システムを使用した治療中に種々の熱電対によって観察された温度を示す。
【図９】図９は、本発明による例示的なレーザシステム、および従来のシステムの相対的性能を描写する。
【発明を実施するための形態】
【００２４】
以降では、添付図面を参照して、それに従って例証的実施形態を説明することによって、本発明の側面が説明されるであろう。これらの実施形態を説明する一方で、周知の物品、機能、または構成の詳細な説明は、典型的には、簡潔にするために省略される。
【００２５】
要素が、別の要素の「上にある」、あるいはそれに「接続されている」または「連結されている」と称されるとき、それは、他の要素の直接上にあり得、あるいはそれに接続または連結することができ、または介在要素が存在し得ることが理解されるであろう。対照的に、要素が、別の要素の「直接上にある」、あるいはそれに「直接接続されている」または「直接連結されている」と称されるとき、いずれの介在要素も存在しない。要素間の関係を説明するために使用される他の単語は、類似様式で解釈されるべきである（例えば、「間で」対「直接的に間で」、「隣接する」対「直接隣接する」等）。
【００２６】
本明細書で使用される用語は、特定の実施形態を説明する目的のためだけのものであり、本発明を制限することを意図していない。本明細書で使用されるように、「１つの」（「ａ」、「ａｎ」）、および「該」（「ｔｈｅ」）という単数形は、文脈が特に明確に指示しない限り、複数形も含むことを意図している。さらに、「備える」（「ｃｏｍｐｒｉｓｅｓ」、「ｃｏｍｐｒｉｓｉｎｇ」）、および／または「含む」（「ｉｎｃｌｕｄｅｓ」、「ｉｎｃｌｕｄｉｎｇ」）という用語は、本明細書で使用されるとき、記述された特徴、ステップ、動作、要素、および／または構成要素の存在を特定するが、１つ以上の他の特徴、ステップ、動作、要素、構成要素、および／またはそれらの群の存在または追加を除外しないことが理解されるであろう。
【００２７】
歯科用レーザシステムに関して、ヒドロキシアパタイトへの最大吸収を伴う波長は、９．３〜９．６μメートル範囲内であることが決定され、ヒドロキシアパタイトの熱緩和時間は、９．３〜９．６μｍ波長範囲で最大２μ秒であることが決定されている。したがって、ヒドロキシアパタイトを除去するための理想的なパルスパラメータは、５０μ秒未満の形式で９．３〜９．６μメートルのエネルギーであると考えられる。１つの好ましい実施形態によれば、５０μ秒未満の形式で９．３〜９．６μｍ波長のエネルギーを使用して、ヒドロキシアパタイトを除去するためのパルスパラメータを有するビームを生じる、レーザが提供される。
【００２８】
９．３〜９．６μｍのエネルギーは、典型的には、１２Ｃ（１８Ｏ）２のレーザガス混合物、波長選択的共振光学機器、より高価な空洞間波長デバイス、またはこれら３つの組み合わせとともに、ＣＯ２レーザを使用して産生される。本発明によれば、５０μ秒パルスは、レーザガス圧力によって達成される、速いパルス立ち上がり時間およびパルス下降時間で生成される。長さが５０μ秒以下のパルスを生成するために、少なくとも約２６０トル（または約３４，６６３Ｐａ）のガス圧力が使用される。
【００２９】
１つの好ましい実施形態では、約２６０トルから約６００トル（または約３４，７００〜８０，０００Ｐａ）の範囲内であるガスで充填される、導波管またはスラブ共振器形式のいずれかであるＣＯ２ガスレーザが、全ての歯科用途で使用するためにＲＦ励起される。約２６０から約６００トル（または約３４，７００〜８０，０００Ｐａ）の範囲が、多くの歯科用途で好ましくあり得る。導波管およびスラブ共振器は、概して、当技術分野で公知であるため、本明細書では詳細に論議されない。
【００３０】
いくつかの実施形態では、圧力は、例として、約２８０〜５５０トル（または約３７，３３０〜７３，３２７Ｐａ）、または約３００〜５００トル（または約３９，９９６〜６６，６６１Ｐａ）、約３２０〜４５０トル（または約４２，６６３〜５９，９９５Ｐａ）、約３４０〜４００トル（または約４５，３２９〜５３，３２８Ｐａ）の範囲内であり得る。
【００３１】
レーザは、それぞれ、切断および掘削用途のために、ＣＷまたはパルスモードで動作され得る。ＤＣおよびＲＦ電源は、高ピーク電力パルス動作を支持しながら、低電力ＣＷ動作を支援するように構成される。レーザ出力は、光学エネルギーを患者に送達するように、ビーム送達システムに連結される。レーザは、小型の信頼できるパッケージにおいて、速いパルス立ち上がり時間およびパルス下降時間（例えば、約５０μ秒以下、典型的には、２０μ秒以下）、封鎖動作、高い繰り返し数で、９．３〜９．６μｍのエネルギー波長を提供する。
【００３２】
図１は、本発明の側面による、歯科用レーザシステム１００の実施形態を示す。図１の実施形態では、ＡＣ入力電力（図示せず）として整流する、ＤＣ電源１０が提供される。１つの好ましい実施形態では、ＤＣ電源１０は、連続波（ＣＷ）ＤＣセクション１２およびパルスＤＣセクション１４から成る。ＤＣセクション１２は、軟組織の切断等のＣＷ用途のためのレーザを実行するようにサイズ決定され、ピーク電力ＤＣセクション１４は、硬組織または骨の修正等のパルシング用途のためのピークエネルギーを供給する。
【００３３】
物品２０は、ＤＣエネルギーを４０〜１２５ＭＨｚ範囲内のＲＦエネルギーに変換するための無線周波数（ＲＦ）電源である。物品３０は、入力としてＲＦエネルギー、および出力カプラ３２を介した出力として９．３〜９．６μメートルの光学エネルギーを用いたＣＯ２レーザである。そして物品４０は、レーザから患者の口を表す物品５０へ光学エネルギーを送達する、ビーム送達装置である。
【００３４】
この実施形態におけるＣＯ２レーザ３０は、後部鏡３４と、レーザ放出領域３６とを含む。鏡３４は、レーザ放出領域３６を通して光学エネルギーを方向付ける。出力カプラ３２は、レーザからのビームを結合する。この場合、レーザはガスレーザであるため、出力カプラは、レーザガスを外に出させることなく、レーザからのビームを結合する。ＣＯ２レーザ３０はまた、約２６０〜約６００トル（または約３４，７００〜８０，０００Ｐａ）の範囲内の圧力におけるガスで充填される、レーザガス圧力容器３８を含む。
【００３５】
出力レーザエネルギーは、ビーム送達装置４０に提供され、次いで、患者の口等の標的に方向付けることができる。この実施形態では、ビーム送達装置４０は、平面または曲面鏡、あるいはＣＯ２レーザからの光学エネルギー出力を導くように構成される組み合わせを含むことができる。
【００３６】
この例示的構成では、歯科用レーザシステム１００は、歯肉および口腔組織を切断するために、例えば、＜１０ワットの低電力ＣＷ動作、および最大１０ｋＨｚの１〜５０μ秒パルス幅にて、例えば、＞５ｍＪパルスエネルギーの高ピーク電力パルシング動作の両方で、動作することができる。ＣＯ２レーザ３０は、９〜１１μｍの間の波長で動作することができる。レーザシステム１００は、好ましくは、歯の硬組織内のヒドロキシアパタイトに対する理想的な吸収波長で高ピーク電力パルシング動作を提供する。パルス幅およびパルスエネルギーは、動作中に最大１０ｋＨｚで歯髄を損傷する残留熱を歯にほとんど残さず、ヒドロキシアパタイトを切除するのに理想的に適している。
【００３７】
図２は、ＣＯ２歯科用レーザシステムからレーザ光学エネルギーを出力する方法の実施形態である。方法２００は、ステップ２１０で直流（ＤＣ）電源を提供することと、ステップ２２０でＤＣ電源に連結される無線周波数（ＲＦ）電源を提供することと、ステップ２３０で所定の圧力範囲（例えば、約２６０〜約６００トル（または約３４，７００〜８０，０００Ｐａ））内の圧力でのガスでＣＯ２レーザを充填することと、ビーム送達システムを使用して、ＣＯ２レーザからのレーザ光学エネルギー出力を患者へ導くステップ２４０とを含む。
【００３８】
図３は、以下でより詳細に論議される、いくつかの典型的なレーザ動作パラメータおよび関連歯科用システム性能パラメータを列挙する表である。値は、最小および最大の条件、ならびに種々の実施形態とともに、本発明の種々の用途で使用するために考慮される公称条件について提供される。最小値および最大値は境界ではなく、実際の値は、各パラメータの全範囲の１０％または２０％以上低くまたは高くあり得ることに留意されたい。
【００３９】
より具体的には、歯のエナメル質および象牙質等の硬組織は、水および無機物を含む。広範な歯科用レーザ研究が、硬組織の水および無機物吸収帯で行われている一方で、研究の重点は、吸収の効率に置かれてきた。歯科での実施は、主に、切断速度および分解能に関与している。以前の研究からの効率の結果を基に、実施例において以下で詳細に説明されるように、例示的な歯科用レーザシステムが、切断効率を向上させるように、パルス幅を変化させる融通性、および硬組織の無機物吸収帯での平均電力レベルを伴って構築された。
【００４０】
歯の硬組織を切断または掘削することは、主に、歯の最も硬い外層であるエナメル質を除去することと同等である。エナメル質は、概して、体積で約１２％の水、約８５％の無機物（炭酸ヒドロキシアパタイト）、ならびに約３％のタンパク質および脂質を含有する、生物学的複合物である。したがって、エナメル質の８５％無機成分を切断または掘削することによって、高い効率が達成され得る。エナメル質の無機物含有量は、９．６μｍにおいてピーク吸収（８０００ｃｍ?１）を有し、１０．６μｍまたは可視あるいは他の赤外領域中の他のレーザ波長よりも最大１０倍高く電磁放射線を吸収することが示されている。実施例で説明される例示的システムでは、９．４μｍレーザが、現在、９．６μｍに近い波長を有する市販のレーザであるため、「概念実証」として使用された。図４は、９．４μｍおよび９．６μｍにおける吸収の差が有意ではないことを示す。
【００４１】
歯における残留エネルギーＥＲの堆積を最小限化しながら、実用的な切除速度を達成することができるように、歯の硬組織切除用のレーザパラメータ、すなわち、パルス持続時間およびレーザ波長が選択されることが望ましい。残留エネルギーは、組織切除を引き起こさないが、代わりに、周辺組織に吸収される、レーザビームによって硬組織（例えば、歯のエナメル質）に方向付けられるエネルギーであり得る。一般に、エナメル質への放射線の吸収は、エナメル質の固有の微細構造により不均一である。結果として、切除の機構は、レーザ放射が吸収される、一次吸収体の性質ともに変化する。例えば、水への吸収が、水媒介切除をもたらし、エナメル小柱の大部分への吸収が、融解または爆発的な蒸発につながる。上記で説明されるように、９．６μｍにおける吸収は、エナメル小柱の無機物含有量で起こり、典型的には、以下で説明されるように爆発的な蒸発を引き起こす。歯のエナメル質が約８５％の無機物を含むため、エナメル質の切除効率は、通常、９．６μｍの無機物吸収波長において、またはその付近で高くなる。
【００４２】
ＣＯ２レーザ放射の強力な波長吸収により、レーザエネルギーは、通常、硬組織（例えば、歯のエナメル質）の表面における非常に薄い吸収層中に堆積される。これは、小さな体積の硬組織の中で強力な内圧上昇をもたらし得る。圧力上昇時間が組織の熱緩和時間（例えば、硬組織内で生成された熱が放散される時間）よりも短い場合、圧力は、最終的に、組織の極限の引張り強さを超え、爆発的な蒸発とも呼ばれる、局部的な微小爆発において組織を引き裂かせる。過剰な熱は、加熱された切除破片とともに排出され、したがって、組織から除去される。したがって、爆発的な蒸発において、周辺組織への熱損傷を防止することができる。ＣＯ２レーザは、小さな組織体積を極めて急速に加熱することができるように、それらの波長が骨組織の無機物成分（ヒドロキシアパタイト）に強力に吸収されるため、爆発的な蒸発に好適であり得る。
【００４３】
上記で説明されるように、爆発的な蒸発は、圧力上昇時間が組織の熱緩和時間よりも短いときに起こり得る。爆発的な蒸発の性質により、入射レーザエネルギーは、切除プロセスで消費および放出されるか、または熱あるいは残留エネルギーＥＲの形態で組織に吸収されるかのいずれかである。残留エネルギーは、硬組織の切除とは対照的に、周辺組織（例えば、歯の内部組織）の加熱を引き起こし得る。したがって、ＥＲを最小限化することにより、切除効率を増加させることができる。
【００４４】
所望のパルス持続時間またはパルス長は、組織表面内の堆積エネルギーの軸方向熱伝導（τｚ）の緩和時間に類似し得る。τｚよりも実質的に長いレーザパルス持続時間については、レーザエネルギーは、レーザパルス中に、歯のエナメル質表面から内部歯髄の中へ伝導され、非効率的な表面加熱をもたらし得る。しかしながら、パルス持続時間が短すぎる場合、爆発的な蒸発を引き起こすための必要とされる出力密度が高くなりすぎ得て、表面を遮蔽して切除の効率を低減させる、切除された物質のプルームにおけるプラズマの生成を引き起こし得る。
【００４５】
約９．６μｍの波長におけるエナメル質内の堆積レーザエネルギーの熱緩和時間は、約１μ秒である。したがって、９．６μｍの無機物吸収波長における、またはそれに近い放射波長を使用した、硬組織の切除効率は、持続時間が約１μ秒のパルスを使用して増加させられてもよい。１つの実験では、５μ秒パルス長および１５Ｊ／ｃｍ２フルエンス（以下で説明される）を使用して、最低残留エネルギーが９．６μｍ波長において観察され、入射エネルギーの２５％未満が残留エネルギーとして吸収された。
【００４６】
短い持続時間のパルスは、吸収される残留エネルギーの量を減少させることによって、切除効率を増加させることができるが、パルス長が長くなるほど、平均レーザ出力の１ワットあたりの費用が低くなる。したがって、吸収される残留エネルギーの量およびレーザ出力の１ワットあたりの費用を同時に減少させることができる、パルス長を選択することが有益である。したがって、パルス長の関数として、残留エネルギー、ＥＲを理解することが重要である。例えば、５〜２０μ秒である、より短いレーザパルスが、有意に低い切除閾値で切除し、１つのパルスにつきより高い切除速度を達成することができる、より長いレーザパルスよりも低い残留エネルギーを残す。１０Ｊ／ｃｍ２以上のフルエンスを伴う２０μ秒以下のパルス長が、低い残留エネルギーおよび高い切断効率につながる。例えば、２０μ秒よりも長い、より長いパルス長は、１つのパルスにつきより高い切除速度につながり得るが、より高い残留エネルギーおよびより低い切除効率につながり得る。例えば、持続時間が５〜２０μ秒である、より短いパルス長は、より高い切除効率およびより低い残留エネルギーを有し得るが、１つのパルスにつきより低い切除速度をもたらし得る。デューティサイクル（すなわち、パルス間の合計時間で割られるパルス長）を、所望に応じて変化させることができる。典型的なデューティサイクル値については、図３を参照されたい。
【００４７】
高い切除効率のために必要とされる吸収波長およびパルス長に加えて、爆発的な蒸発につながる、硬組織エナメル小柱加熱速度は、概して、一般的にフルエンスと呼ばれる、パルスエネルギー密度に依存する。言い換えれば、１つのレーザパルスによって標的組織に送達される全エネルギーは、フルエンスおよび治療部位の面積の積として表され得る。閾値、すなわち、最小放射線暴露фｔｈ（Ｊ／ｃｍ２）が、十分な圧力上昇を引き起こすことによって治療部位において切除微小爆発を誘発するために、理論的に必要である。しかしながら、放射線の拡散または反射による損失を考慮すると、エナメル質に向かって方向付けられるように要求される実際のフルエンスは、理論的最小値より大きくあり得る。例えば、理論的エネルギー閾値に達するように、硬組織の吸収層内で必要なエネルギーを蓄積するために、エネルギーは、熱拡散からの損失を補うよう、十分速く蓄積する必要があり得る。したがって、必要とされる最小フルエンス閾値がある。例えば、切除閾値は、反射率損失の補正後、それぞれ、９．６μｍおよび１０．６μｍに対して約０．５および３Ｊ／ｃｍ２である。望ましいフルエンスは、爆発的な蒸発のための閾値を上回るが、残留エネルギーＥＲを最小限化し、高い切除効率につながるものである。１μ秒の熱緩和時間および０．５Ｊ／ｃｍ２の切除閾値を考慮すると、一実施形態における低い残留エネルギーは、５μ秒パルス長および１５Ｊ／ｃｍ２フルエンスで発生する。エナメル質の切除速度は、２５Ｊ／ｃｍ２超で飽和し得、したがって、所望のフルエンスは、概して、約１から約２５Ｊ／ｃｍ２の間である。しかしながら、最大約５０Ｊ／ｃｍ２である、より高いフルエンスを使用できることに留意されたい。例えば、エナメル質の表面に穴を開けて、カバー層または被覆の接着を増加させるために、１Ｊ／ｃｍ２よりも低いフルエンスを使用することができる。
【００４８】
概して、硬組織の切除速度は、使用される平均レーザ出力に依存する。平均レーザ出力は、１パルスあたりの出力およびパルスの数の積、または１パルスあたりの出力×パルス繰り返し数として表すことができる。例えば、持続時間が２５μ秒よりも長い、より長いパルスは、１パルスにつきより多くの物質を切除することができるが、例えば、持続時間が２０μ秒よりも短い、より短いパルスは、歯の硬組織を切除することにおいてより効率的である。同様の平均出力を仮定すると、１パルスあたりの切除およびパルス繰り返し数の積によって、切除速度を決定することができる。したがって、より高い繰り返し数である、１秒あたりのより多くのパルスを、同じ平均出力に利用することができるため、より低い残留エネルギーレベルを有する、より短いパルス長は、より高い歯科切断効率につながり得る。実用的な懸念なしで、より高い平均出力は、より速い歯科用レーザシステム切除速度につながる。しかし、より高いレーザ平均出力は、より高い製品費用につながり得、しかも、人間の手は、約１〜２ｋＨｚの繰り返し数を上回る走査効率を制限する。最大４ｋＨｚの割合が採用されてもよい。加えて、硬組織へのレーザビームの適用および場所を正確に制御するため、例えば、クラウンまたは予備成形充填を受容するように輪郭を切断するために、コンピュータ制御されたロボットシステムが、有利には、採用されてもよい。
【００４９】
９．３μｍ波長の実験歯科用システムでは、１〜６Ｊ／ｃｍ２のフルエンスおよび最大４００ヘルツの繰り返し数とともに、３５〜７５μ秒のパルス幅を使用した。一体型スキャナを伴う、この歯科用レーザシステムは、実質的に温度上昇を伴わずに歯の硬組織を切断するのに効果的であったが、非常にゆっくりとした切断であった。長いパルス長および低いフルエンスは、一般臨床用途には望ましくなく、回転歯科用バーを使用した従来の掘削システムより有意に良好ではない、切断速度につながった。
【００５０】
多くの既知の歯科用レーザシステムは、２．７〜３．０μｍの波長において硬組織内の水を爆発させることによって動作する。水分吸収を通して硬組織を切断することは、「熱機械的」または「水媒介」切除と呼ばれる。急速な加熱中に、慣性閉じ込め水分は、周辺無機物基質の爆発的除去につながり得る、非常に大きな基礎構造圧力を生成することができる。３．０μｍにおける、またはその付近の放射波長λでの硬組織切除のいくつかの研究は、大型の粒子が高速で排出されることを示し、水媒介爆発プロセスの機構を強く支持する。１つの市販の２．７８μｍ波長歯科用レーザシステムは、最大５０ヘルツの繰り返し数を有し、１４０μ秒の比較的長いパルス幅、３２〜６０Ｊ／ｃｍ２のフルエンスで動作する。このシステムの比較的高いパルスエネルギーは、同等の平均出力レベルに対応する、低い繰り返し数を必要とする。より長いパルス長、および関連するより高いパルスエネルギーもまた、歯におけるより高い残留エネルギーＥＲにつながる。
【実施例】
【００５１】
約５〜２０μ秒のパルス幅、約４〜１５Ｊ／ｃｍ２のフルエンス、約２５０〜２０００ヘルツの繰り返し数を用いて、９．４μｍ波長で動作するように、実験歯科用レーザシステムが構築された。波長、パルス幅、フルエンス、および繰り返し数等のこの歯科用レーザシステムのパラメータは、商業用システムのレベルに実質的に類似する平均出力レベルを提供し、２つのシステムの性能の比較を可能にする。
【００５２】
抜歯されたヒトの臼歯サンプルが、この実験システムを使用した、その上のエナメル質の切除に使用された。臼歯は、家庭用漂白剤の中に保管され、イソプロピルアルコールを用いて手で洗浄された。臼歯は、横向きに、または歯根によって、焼石膏の中に載置された。水溶性切断流体を使用し、ダイヤモンド先端ドリルおよび鋸を用いて熱電対穴が作成された。掘削された臼歯は、切断流体を除去するように、水道水を用いて手動で洗い流された。臼歯の最小限の調製は、歯科医院用途を模倣するように意図的に行われた。
【００５３】
臼歯サンプルは、Ｃｏｈｅｒｅｎｔ（Ｂｌｏｏｍｆｉｅｌｄ，  ＣＴ）からのＲＦ電源モデル番号Ｄ６４／８４  ＲＦ  Ａｍｐ／ＬＣ  Ｆｉｌｔｅｒで励起されたＣｏｈｅｒｅｎｔ  ＤｉａｍｏｎｄＴＭ  ２２５ｉスラブレーザを用いて照射された。レーザが光ビーム補正構成要素を含有するため、ビーム品質は、１．３のＭ２で特定される。レーザビームは、両方ともＩｎｔｒａＡｃｔｉｏｎ  Ｃｏｒｐｏｒａｔｉｏｎ（Ｂｅｌｌｗｏｏｄ，  ＩＬ）からのＲＦ電源モデル番号Ｅ４１２７７とともにＡＯスイッチ、モデル番号ＡＧＭ−４０１０ＡＪ１ＭＤによって、方向付けられ、変調された。レーザ変調パルスは、Ｌａｓｅｒ  Ｍｅｃｈａｎｉｓｍｓ（Ｎｏｖｉ，  ＭＩ）からの関節動作アームモデル番号ＰＬＡＴＡ１０４２を通して送達された。レーザは、７８ｍｍＦＬ平面／球面レンズを使用して、直径１６９μｍのスポットサイズに集中させた。臼歯のうちのいくつかが、横向きに焼石膏の中に載置されたため、種々の臼歯咬頭領域の幾何学形状の差を排除するように、臼歯の比較的平坦な側面上で、切断試行が行われた。
【００５４】
臼歯は、１３５ｐｓｉにおける圧縮空気を使用して、ＣｏｏｌＭｉｓｔ  Ｐｏｒｔａｍｉｓｔモデル番号６０Ｍ１２による切断中に水和させられた。噴霧角は、切断角に対して約４５°であり、切断角（すなわち、レーザビームの入射角）は、ほぼ９０°、すなわち、切断面と垂直または直角であった。しかしながら、これらの角度は例証的であり、９０°以外の切断角および４５°以外の噴霧角も本発明の範囲内であることを理解されたい。
レーザパルス立ち上がり時間は、全てのレーザパルシングが７５μ秒にわたって開始されるように、７５μ秒と測定された。次いで、ＡＯスイッチが、立ち上がり時間または下降時間を伴わずに５〜２０μ秒パルス幅を生成するようにトリガされた。２２５ｉレーザの平均出力は、Ｃｏｈｅｒｅｎｔによって工場でチェックされ、Ｏｐｈｉｒモデル番号ＦＬ−３０ＯＡ−ＬＰ−ＳＨ、およびＯｐｈｉｒ  Ｎｏｖａ、シリアル番号４４７９７、光学出力表示計に接続されたモデル番号Ｆ−１５０Ａ−ＳＨ−Ｖ１−ＲＯＨＳの両方を用いて、最終構成で確認された。５、１０、１５、および２０μ秒のパルス持続時間が、臼歯のエナメル質を切断するために、２５０、５００、１０００、および１５００ヘルツの繰り返し数とともに使用された。動作中に測定されるような、このシステムのレーザおよび性能パラメータが、図５の表に提示される。
【００５５】
抜歯されたヒトの臼歯のうちのいくつかは、それらの歯根が焼石膏の中にある状態で載置された。歯は、幾何学形状が変化し、エナメル質の厚さが最大となる臼歯咬頭上で切断された。臼歯は、上記で説明されるように水和させられた。２０μ秒パルス長および２ｋＨｚ繰り返し数が使用されたことを除いて、上記で説明されるレーザ光学およびビーム送達構成が使用された。
【００５６】
臼歯の内部における種々の場所で温度の上昇を測定するように、熱電対が、臼歯における種々の場所に載置された。１つの熱電対が、臼歯根によって載置された。３つの他の熱電対が、それぞれ、エナメル質線（ｅｎａｍｅｌ  ｌｉｎｅ）より下側に、エナメル質線に、およびエナメル質線より上側に載置された。既製絶縁熱電対である、Ｋ型Ｃｈｒｏｍｅｌ−Ａｌｕｍｅｌ、０．０５″直径ケーブルが、小型のＫ型コネクタとともに、温度測定に使用された。熱電対は、良好に熱接触して掘削された穴の中に載置され、熱伝導性エポキシ、Ｒｅｓｉｎ  Ｔｅｃｈｎｏｌｏｇｙ  Ｇｒｏｕｐ、部品番号ＤＰＯ  １２２０９−１を用いて、定位置で保持された。熱電対電圧が、Ｆｌｕｋｅ  ７７系デジタル電圧計の中に直接載置されたＦｌｕｋｅ  ８０ＴＫ熱電対モジュール、モデル番号ＦＬＵ８９０ＴＫを使用して、温度に変換された。上記で説明されたものと同じ光学的構成が使用され、２ｋＨｚ繰り返し数における２０μ秒パルス長が利用され、３分にわたって連続的に切断した。
【００５７】
２つの付加的な臼歯が、歯根によって焼石膏の中に載置され、上記で説明されるように同じ光学系を用いて切断され、そして水和させられた。２０μ秒パルス長および２ｋＨｚ繰り返し数が、これら２本の臼歯の切断に使用された。
【００５８】
１６本の臼歯が、重量によるエナメル質の除去速度を測定するために切断された。図６は、各臼歯が、パルス長および繰り返し数の独特の組み合わせ（例えば、５μ秒および２５０Ｈｚ、５μ秒および１．５ｋＨｚ、１５μ秒および２５０Ｈｚ、１５μ秒および１ｋＨｚ、２０μ秒および１．５ｋＨｚ等）を使用して切断される、１６本の臼歯に対する除去速度を描写する。図６はまた、エルビウム歯科用レーザ等の従来のシステムを使用した、重量による平均切断速度も示す。一次補間によって得られた、予測される達成可能な切断速度も図６に示される。
【００５９】
レーザビームパラメータ（例えば、パルス長、繰り返し数、パルスエネルギー、焦点でのフルエンス等）に加えて、エナメル質切断速度に影響を及ぼすことができる変数は、臼歯の側面の平坦性、臼歯が抜歯されてからの経過時間、手持ち式レーザシステム切断先端の安定性を含む。約１ｋＨｚ以上のパルス繰り返し数が使用されるとき、硬組織の標的領域の走査が使用されてもよい。実質的に着実にレーザビームを標的領域に方向付けることにより、切断速度に影響を及ぼすことができる。しかしながら、一般に、この実験システムは、約０．３１および０．３３ｃｍ３／分の体積除去速度を有するＥｒ：ＹＡＧおよびＥｒ：ＹＳＧＧシステムを含む、既知のシステムよりも約５倍速かった。
【００６０】
５本の臼歯が、重量によるエナメル質の除去速度を測定するように切断された。これらの臼歯は、２０μ秒パルス長、２ｋＨｚ繰り返し数、９．７ｍＪパルスエネルギー、および２１Ｊ／ｃｍ２焦点フルエンスのパルスを送達するように構成された、レーザビームを用いて照射された。エナメル質、例えば、炭酸ヒドロキシアパタイトの典型的な平均密度は、２．９４ｇ／ｃｍ３である。（重量による）除去速度は、図７で提示される表に列挙される。
【００６１】
スポットサイズ（すなわち、治療領域の面積）およびスポットサイズを覆うエネルギープロファイルも、重要なパラメータである。例えば、より低いフルエンスでさえも、約２０Ｊ／ｃｍ２のフルエンスをもたらす、より小さいスポットサイズ（例えば、直径が１６９μｍ）と比較して、約１０Ｊ／ｃｍ２のフルエンスをもたらし得る、直径が約２５０μｍのスポットサイズにおいて、より高い切断速度が達成された。より低いフルエンスでの増加した切断速度の理由のうちの１つは、スポットサイズを横断するエネルギー分布である。平面／凸面焦点レンズが使用されるとき、集中させたスポットエネルギープロファイルは、ガウス性であってもよく、すなわち、実質的な量のパルスエネルギーが、通常は、スポットの中心付近の領域である、レンズの焦点で、またはその付近で送達される。比較的少量のエネルギーが、スポットの残りの領域に送達される。場合によっては、スポットの焦点領域に送達されるエネルギーが、切除閾値を上回り得る一方で、非焦点領域に送達されるエネルギーは、切除閾値を下回り得る。切除エネルギーを下回る「ガウス性エネルギーパルスプロファイルの翼部（ｗｉｎｇ）」におけるエネルギー（すなわち、非焦点領域に方向付けられるエネルギー）は、組織の望ましくない加熱を引き起こす残留エネルギーとして吸収され得る。
【００６２】
したがって、エナメル質が実質的に焦点に位置付けられたときの切断は、切断面より下側に小さいクレーターを引き起こすことができる。焦点よりわずかに上側にエナメル質を位置付けることによって、焦点領域で、またはその付近で送達されるエネルギー量を低減させることができ、したがって、より少ないエネルギーが、切断表面より下側のエナメル質の切除部分において消費される。それに対応して、より多くのパルスエネルギーが、スポットサイズの非焦点領域中での切除に利用可能となり、それにより、標的スポットにおいて実質的に均一な切除を達成することができる。実質的に全てのパルスエネルギーが、硬組織の表面を切除するために利用されるように、非球面適合ビーム成形光学機器もまた、比較的少ないパルスエネルギーが焦点領域付近で送達され、比較的多くのエネルギーがスポットの非焦点領域に送達され得るように、焦点に「フラットトップ」または「トップハット」エネルギー分布を生成するために使用されてもよい。代替として、または加えて、非ガウス性になるように光パルスエネルギー分布を修正して、スポット全体におけるエネルギーを切除閾値よりも上に実質的に維持し、それにより、消費される残留エネルギーの量を低減させるために、適合光学機器が使用されてもよい。
【００６３】
本発明による、このシステムの性能が、商業用システムの性能と比較された。商業用システムが使用されたときに、炭化が歯において発生した。この例示的なシステムが、商業用システムよりも約５倍速く歯のエナメル質を切断したとしても、この例示的なシステムを使用した切断は、隣接組織の温度の大幅な上昇を引き起こさず、かつ炭化を引き起こさなかった。さらに、より大きいパルス長およびより大きいパルスエネルギーにより、商業用システムは、例示的なシステムと比較して、あまり正確ではなかった。商業用システムのより大きいパルスエネルギーもまた、歯の質感に影響を及ぼした場合がある。例えば、商業用システムを使用して切断された歯の底部で、エナメル質の一部が分離し、象牙質から剥離した。分離は、象牙質よりも速く熱膨張し、そこから機械的に分離し得る、エナメル質の望ましくない加熱によって引き起こされた場合がある。したがって、本発明は、より正確な除去場所に加えて、より高い除去速度を提供し、現在利用可能であるよりもはるかに好適な歯科治療システムをもたらす。
【００６４】
この例示的なシステムによって引き起こされる臼歯の内部組織の加熱を測定するために、４本の臼歯が、上記で説明されるようにその中に載置された熱電対を用いて切断された。第１の臼歯では、熱電対は、神経腔の中に位置した。第２の臼歯では、熱電対は、エナメル質線より下側に位置した。第３の臼歯では、熱電対は、エナメル質線に位置した。第４の臼歯では、熱電対は、エナメル質より上側に位置した。
【００６５】
４本の臼歯の温度プロファイルが、図８に示される。神経腔より約２ｍｍ上側に載置された熱電対では、治療の開始時に、臼歯の神経腔の温度は、臼歯への水霧の対流効果により降下し、次いで、わずかにのみ上昇して、実質的に最初の温度に達した。生体内で、臼歯は、より高い温度にあり、水霧は、これらの臼歯にさらに有意な冷却効果を及ぼすであろう。一般に、手順が残りの物質の温度を実質的に上昇させないことが望ましい。例えば、歯髄の温度上昇の上限として、最大約５℃の局所温度上昇が好適であり得る。患者の快適性を提供するように、より低い温度上昇値が、概して好ましい（例えば、最大約１〜３℃）。
【００６６】
上記で説明される切断実験は、例示的なレーザシステムが、従来の回転歯科用ハンドピースバーと少なくとも同じくらい迅速に、かつ従来の歯科用レーザシステムよりもはるかに迅速に切断できることを示す。本発明による、この例示的なシステム、従来のバー掘削システム、および従来の歯科用レーザシステムに対応する切断速度が、図９に示される。
【００６７】
前述の内容は、最良の様態であると見なされるもの、および／または他の好ましい実施形態を説明しているが、種々の修正をそれらに行うことができ、１つまたは複数の本発明は、種々の形態および実施形態で実装されてもよく、それらは、多数の用途で適用されてもよく、そのうちのいくつかのみが本明細書で説明されていると理解される。例えば、骨を切断すること、または輪郭形成すること等の他の（非歯科）用途で、説明されたレーザおよびレーザシステムを使用できる可能性がある。以下の請求項によって、各請求項の範囲内に入る全ての修正および変形例を含む、文字通り説明されるもの、およびその全ての同等物を主張することが意図される。
【図１】
0005961632.tif 000002
【図２】
0005961632.tif 000003
【図３】
0005961632.tif 000004
【図４】
0005961632.tif 000005
【図５】
0005961632.tif 000006
【図６】
0005961632.tif 000007
【図７】
0005961632.tif 000008
【図８】
0005961632.tif 000009
【図９】
0005961632.tif 000010